(57)【要約】【課題】生産性、部品の汎用性に優れ、而も顧客の多様な要求にも対応が可能なシャッタカーテンのパネル構造を提供する。【解決手段】パネル２０がパネル本体部２１と上連結部２２、下連結部２３とで構成され、前記上連結部は前記パネル本体部の上端部に装着可能であり、前記下連結部は下端部に装着可能であり、前記上連結部と前記下連結部とは屈曲自在に嵌合可能である。【選択図】        図１
2004270332.tif 000002
【特許請求の範囲】
【請求項１】
パネルがパネル本体部と上連結部、下連結部とで構成され、前記上連結部は前記パネル本体部の上端部に装着可能であり、前記下連結部は下端部に装着可能であり、前記上連結部と前記下連結部とは屈曲自在に嵌合可能であることを特徴とするシャッタカーテンのパネル構造。
【請求項２】
前記パネル本体部は一体成型品である請求項１のシャッタカーテンのパネル構造。
【請求項３】
前記パネル本体部は中実体である請求項１のシャッタカーテンのパネル構造。
【請求項４】
前記パネル本体部は表面パネル部と裏面パネル部とを組合わせたものである請求項１のシャッタカーテンのパネル構造。
【請求項５】
前記パネル本体部は、前記上連結部、下連結部が嵌合する上部嵌合溝、下部嵌合溝を有し、嵌合溝を形成する表面嵌合溝壁、裏面嵌合溝壁のうち少なくとも下部表面嵌合溝壁が延出し、パネル間の連結部を覆う様構成されている請求項１のシャッタカーテンのパネル構造。
【請求項６】
パネルが直線状又は略直線状の連結状態では、パネル間の連結部は全部又は略全部が覆われる様構成されている請求項１のシャッタカーテンのパネル構造。
【発明の詳細な説明】
【０００１】
【発明の属する技術分野】
本発明は、パネルが屈曲可能に連結されたシャッタカーテンのパネル構造に関するものである。
【０００２】
【従来の技術】
建屋等の出入口、窓等の開口部、或は車両のコンテナ、荷台の開口部等を開口するドアとして、パネルが屈曲可能に連結されて構成されるシャッタカーテンを具備するものがある。例えば、シャッタカーテンが天井面に沿って格納されるオーバへッドドアやパネルシャッタ等が挙げられる。
【０００３】
図６〜図８によって、オーバヘッドドアの概略を説明する。
【０００４】
建屋等の開口部の両側柱に沿って、垂直ガイドレール１が設けられ、天井に沿って水平ガイドレール２が設けられ、前記垂直ガイドレール１と前記水平ガイドレール２とは湾曲レール３によって連結されている。前記垂直ガイドレール１の上方には水平な巻取シャフト４を具備する開閉装置５が設けられている。
【０００５】
前記垂直ガイドレール１、前記湾曲レール３、前記水平ガイドレール２に沿ってシャッタカーテン６がスライド可能となっており、該シャッタカーテン６は所要数のパネル７が屈曲自在に連結されて構成されている。
【０００６】
前記巻取シャフト４の両端部にはドラム８が設けられ、該ドラム８に巻付けられたワイヤ９が前記シャッタカーテン６の下端部に係着されている。開口部が開かれる場合は、前記巻取シャフト４を介し前記ドラム８が回転されることで前記ワイヤ９が巻取られ、前記シャッタカーテン６が前記垂直ガイドレール１に沿って引上げられ、更に前記水平ガイドレール２に格納される様になっている。
【０００７】
又、開口部が閉じられる場合は、前記開閉装置５により前記巻取シャフト４を介して前記ドラム８が逆方向に回転され、前記ワイヤ９が繰出されて前記シャッタカーテン６が降下され、開口部が閉じられる。
【０００８】
図９、図１０により従来のパネル構造について説明する。
【０００９】
前記パネル７はアルミ等の引抜き成形、或は押出し成形により製作され、主に表パネル部１１と裏パネル部１２から成る中空構造であり、中空部１０の中途部に補強用の中間リブ部１３が、前記表パネル部１１と裏パネル部１２間に掛渡されて形成されている。
【００１０】
前記パネル７の上端部に図中、右上部分が欠切された円筒形状の雌連結部１４が形成され、前記パネル７の下端部にフック形状の雄連結部１５が形成され、該雄連結部１５は下側に位置するパネル７の雌連結部１４と回転自在に嵌合する。
【００１１】
前記雄連結部１５の両端には軸１６が嵌着され、該軸１６にガイドローラ１７が回転自在に設けられている。
【００１２】
而して、前記パネル７が所要枚数連結され、前記シャッタカーテン６が形成され、前記ガイドローラ１７が前記垂直ガイドレール１、前記湾曲レール３、前記水平ガイドレール２に回転自在に嵌合し、前記シャッタカーテン６は前記ガイドローラ１７を介して前記垂直ガイドレール１、前記湾曲レール３、前記水平ガイドレール２に案内され、前記垂直ガイドレール１に沿って昇降し、前記湾曲レール３を通過する場合は該湾曲レール３の形状に倣って屈曲し、更に前記水平ガイドレール２に沿って水平移動して格納される。
【００１３】
尚、シャッタカーテンのパネルを示すものとして、例えば本出願人が先に出願した特許文献１がある。
【００１４】
【特許文献１】
特開２００３−１３６７４号公報
【００１５】
【発明が解決しようとする課題】
上記した従来のシャッタカーテンのパネルは、引抜き、或は押出しで成形されており、意匠性に優れ、又多数製作する場合は低コスト化が可能となる等の優れた特徴を有している。
【００１６】
然し乍ら、一方で顧客の多様な要求に応えようとすると、パネルは多品種少量生産とならざるを得ず、引抜き、或は押出しで成形する場合、微小な変更があった場合でも、その都度、引抜き型、或は押出し型を製作しなければならず、パネルの製作費は高コストとなり、又迅速な変更が困難であるという問題も有していた。
【００１７】
本発明は斯かる実情に鑑み、生産性、部品の汎用性に優れ、而も顧客の多様な要求にも対応が可能なシャッタカーテンのパネル構造を提供するものである。
【００１８】
【課題を解決するための手段】
本発明は、パネルがパネル本体部と上連結部、下連結部とで構成され、前記上連結部は前記パネル本体部の上端部に装着可能であり、前記下連結部は下端部に装着可能であり、前記上連結部と前記下連結部とは屈曲自在に嵌合可能であるシャッタカーテンのパネル構造に係り、又前記パネル本体部は一体成型品であるシャッタカーテンのパネル構造に係り、又前記パネル本体部は中実体であるシャッタカーテンのパネル構造に係り、又前記パネル本体部は表面パネル部と裏面パネル部とを組合わせたものであるシャッタカーテンのパネル構造に係り、又前記パネル本体部は、前記上連結部、下連結部が嵌合する上部嵌合溝、下部嵌合溝を有し、嵌合溝を形成する表面嵌合溝壁、裏面嵌合溝壁のうち少なくとも下部表面嵌合溝壁が延出し、パネル間の連結部を覆う様構成されているシャッタカーテンのパネル構造に係るものであり、更に又パネルが直線状又は略直線状の連結状態では、パネル間の連結部は全部又は略全部が覆われる様構成されているシャッタカーテンのパネル構造に係るものである。
【００１９】
【発明の実施の形態】
以下、図面を参照しつつ本発明の実施の形態を説明する。
【００２０】
図１、図２に於いて第１の実施の形態について説明する。
【００２１】
第１の実施の形態に係るパネル２０は、パネル本体部２１、上連結部２２、下連結部２３から構成されている。
【００２２】
前記パネル本体部２１は中空の板形状をしており、上部に上部嵌合溝２４が形成され、下部に下部嵌合溝２７が形成される。前記上部嵌合溝２４は上表面溝壁２５、上裏面溝壁２６を有し、前記上表面溝壁２５は前記上裏面溝壁２６より短くなっている。前記下部嵌合溝２７は、下表面溝壁２８、下裏面溝壁２９を有し、前記下表面溝壁２８は下方に延出し前記下裏面溝壁２９より長くなっている。
【００２３】
前記上部嵌合溝２４に前記上連結部２２が嵌合し、前記下部嵌合溝２７に前記下連結部２３が嵌合する。
【００２４】
前記上連結部２２は前記上部嵌合溝２４に嵌合する中空部３０と、図中右上部分が欠切された円筒形状の雌嵌合部３１を有し、前記中空部３０の前記上表面溝壁２５に接触する部分より上側部分が後退し、段差３２を形成している。
【００２５】
前記下連結部２３は、前記下部嵌合溝２７に嵌合する中空部３３と、図中右上部分に欠切部を有するフック形状の雄嵌合部３４を具備し、該雄嵌合部３４に沿って前記中空部３３との間に円弧溝３５が形成されている。
【００２６】
前記上連結部２２は、前記中空部３０を前記上部嵌合溝２４に嵌合し、前記上裏面溝壁２６側から螺子３６により固定することで、前記パネル本体部２１に取付けられる。前記上裏面溝壁２６は前記螺子３６の頭部が突出しない様に、座刳り加工されている。
【００２７】
前記下連結部２３は、前記中空部３３を前記下部嵌合溝２７に嵌合し、前記下裏面溝壁２９側から螺子３７により固定することで、前記パネル本体部２１に取付けられる。前記螺子３７は頭部が突出しない様、皿螺子が用いられている。
【００２８】
尚、上連結部２２、下連結部２３はそれぞれ上部嵌合溝２４、下部嵌合溝２７に嵌合させた後螺子止めし、螺子の着脱で、上連結部２２、下連結部２３の取外しができる様、着脱自在に構成されている。このような着脱自在の態様を含め、上連結部２２、下連結部２３をリベット等の固着具、或は接着剤等を用いて取外しが比較的困難な態様をも含む着脱可能な様にしてもよい。更に、上連結部２２、下連結部２３を上部嵌合溝２４、下部嵌合溝２７に嵌合後溶接付け等を行って取外しができない様にしてもよい。
【００２９】
前記パネル２０は、前記雄嵌合部３４が、下側に位置する他のパネル２０の前記雌嵌合部３１に回転自在に嵌合する。而して、所要数のパネル２０が、前記雄嵌合部３４と前記雌嵌合部３１との嵌合で順次屈曲自在に連結され、前記シャッタカーテン６が構成される。
【００３０】
尚、前記雌嵌合部３１と前記雄嵌合部３４との連結後、抜け止具３８が前記雄嵌合部３４の端部に前記螺子３７により共締される。前記抜け止具３８は前記円弧溝３５の端部を閉塞する様に取付けられ、前記雄嵌合部３４が前記円弧溝３５をスライドして突出しない様制限されることで、上下のパネル２０，２０がずれない様になっている。
【００３１】
上側のパネル２０と下側のパネル２０が直線状態又は略直線状態になった時に、上側パネル２０の下表面溝壁２８の下端と下側パネル２０の上表面溝壁２５の上端が密着又は略密着した状態になり、下表面溝壁２８、上表面溝壁２５は面一又は略面一の状態になる。そして上連結部２２と下連結部２３はパネル表側から見れば全部又は略全部が上表面溝壁２５、下表面溝壁２８にて隠される様になる。更に、上下のパネル２０，２０が直線状態又は略直線状態では上表面溝壁２５、下表面溝壁２８が連結部を覆い、雨水や外気等が連結部に浸入するのを避ける様になっている。尚、浸入防止をより確実にするために必要に応じて更に密閉補強部材を取付けてもよい。
【００３２】
前記パネル本体部２１は前記上連結部２２、前記下連結部２３とは別個に単体で加工できる。従って、前記パネル本体部２１の表面に塗装、印刷、或は溝等による模様付けが可能であり、全体として大きな変更を加えることなく、前記パネル２０の外観を変更することができる。
【００３３】
更に、前記上連結部２２、前記下連結部２３は共通部品として管理でき、更に前記パネル本体部２１は、前記上部嵌合溝２４の形状、前記下部嵌合溝２７の形状さえ共通にすれば種々の形状変更が可能となり、又前記パネル本体部２１は、前記上連結部２２、前記下連結部２３等の複雑な形状部分が省略されるので、成形型を必要とする場合でも、製作コストの低減が図れる。
【００３４】
前記パネル本体部２１の形状が単純化されることから、前記上連結部２２、前記下連結部２３とは異なる材質で製作可能となり、例えばアルミ等の押出し成形可能な金属に限らず、樹脂、リサイクル木粉樹脂材等が使用でき、多様な変更が可能となる。
【００３５】
図３は第２の実施の形態を示している。
【００３６】
該第２の実施の形態では、パネル本体部２１を中実材料としたものである。
【００３７】
該パネル本体部２１を中実材料とした場合、両端部に上部嵌合溝２４、下部嵌合溝２７を加工すればよく、材料として木材、或は合成樹脂板等を加工することで使用可能となる。この場合、特別仕様等の少量生産に対応が可能である。
【００３８】
更に、両端部に前記上部嵌合溝２４、前記下部嵌合溝２７を成型した板金成形品でもよい。
【００３９】
図４、図５は第３の実施の形態を示している。
【００４０】
該第３の実施の形態では、パネル本体部２１を更に２分割構造としたものである。尚、図４、図５は該パネル本体部２１に後述する窓部４９が設けられた場合を示している。
【００４１】
該第３の実施の形態に於いて、上連結部２２、下連結部２３は上記第１の実施の形態で説明したと同様であるので、以下説明を省略する。
【００４２】
前記パネル本体部２１は表面パネル部４１、裏面パネル部４２から構成される。
【００４３】
前記表面パネル部４１には水平方向に突出する表面パネル上突片４３と表面パネル下突片４４が形成され、前記表面パネル上突片４３の高さは上部嵌合溝２４の溝幅と同一寸法となっており、前記表面パネル上突片４３より上方に延出する部分は上表面溝壁２５となっている。前記表面パネル下突片４４の高さは下部嵌合溝２７の溝幅寸法となっており、前記表面パネル下突片４４より下方に延出する部分は下表面溝壁２８となっている。前記表面パネル部４１の中央部には表窓孔４７が穿設されている。
【００４４】
前記裏面パネル部４２には水平方向に突出する裏面パネル上突片４５と裏面パネル下突片４６が形成され、前記裏面パネル上突片４５より上方に延出する部分は上裏面溝壁２６となっており、前記裏面パネル下突片４６より下方に延出する部分は下裏面溝壁２９となっている。前記裏面パネル部４２の中央部、前記表面パネル部４１の前記表窓孔４７と重合する部分に裏窓孔４８が穿設されている。
【００４５】
前記裏面パネル上突片４５と前記裏面パネル下突片４６の高さ方向の外寸は前記表面パネル上突片４３と前記表面パネル下突片４４の内寸と略同一となっている。前記裏面パネル上突片４５と前記裏面パネル下突片４６とは前記表面パネル上突片４３と前記表面パネル下突片４４に内嵌可能となっている。
【００４６】
図中、前記窓部４９は２枚の透明板５１，５１の周囲にビード５２が嵌込まれたものであり、前記透明板５１，５１間には間隙５３が形成され、断熱構造となっている。
【００４７】
パネル２０の組立について説明する。
【００４８】
前記表面パネル上突片４３、前記表面パネル下突片４４と前記裏面パネル上突片４５、前記裏面パネル下突片４６とを嵌合し、前記表面パネル上突片４３と前記裏面パネル上突片４５とを螺子止し、前記表面パネル下突片４４と前記裏面パネル下突片４６とを螺子止し、前記表面パネル部４１と前記裏面パネル部４２とを一体化する。
【００４９】
尚、前記表面パネル上突片４３と前記裏面パネル上突片４５との螺子止、前記表面パネル下突片４４と前記裏面パネル下突片４６との螺子止は、螺子の頭部が突出しない様に皿螺子を使用するか、頭部が埋没する様座刳り加工をする。
【００５０】
前記表面パネル上突片４３、前記上表面溝壁２５、前記上裏面溝壁２６により前記上部嵌合溝２４が形成され、該上部嵌合溝２４に前記上連結部２２が嵌合され、該上連結部２２が前記上裏面溝壁２６に螺子止される。
【００５１】
又、前記表面パネル下突片４４、前記下表面溝壁２８、前記下裏面溝壁２９により前記下部嵌合溝２７が形成され、該下部嵌合溝２７に前記下連結部２３が嵌合され、該下連結部２３は前記下裏面溝壁２９に螺子止される。
【００５２】
更に、前記窓部４９が前記ビード５２を介して前記表窓孔４７、前記裏窓孔４８に嵌込まれる。
【００５３】
而して、前記窓部４９を有する前記パネル２０が構成される。
【００５４】
上記した様に、前記パネル本体部２１が前記表面パネル部４１と前記裏面パネル部４２に分解できることから、前記表面パネル部４１、前記裏面パネル部４２にプレス加工による穴抜き加工が可能となり、前記表窓孔４７、前記裏窓孔４８の加工が容易に而も安価に行え、低コストで窓が設けられた前記パネル２０を製作することができる。
【００５５】
又、前記パネル本体部２１が前記表面パネル部４１と前記裏面パネル部４２に分解できることから、前記表面パネル部４１と前記裏面パネル部４２間に断熱材の充填が可能となり、断熱機能を有するパネルの製作が可能となる。
【００５６】
更に、第３の実施の形態では、外観の変更を行う場合、印刷、彫刻等の加工を前記表面パネル部４１に対して行えばよく、前記上連結部２２、前記下連結部２３、前記裏面パネル部４２が共通部品となるので、パネルの仕様変更があった場合の対応が更に容易となる。
【００５７】
尚、前記パネル本体部２１の形状、前記表面パネル部４１、前記裏面パネル部４２の形状については上記実施の形態に限定されるものでないことは言う迄もない。
【００５８】
又、上記実施の形態ではシャッタカーテン６が上下方向移動をし、上方移動方向が開方向となっているが、移動方向はこれのみに限定されるわけではなく、方向の上下とは説明等の便宜上使用しているものであり、実際の方向は任意である。同様に表裏についても、本実施の形態では表側が例えば建物外側や室外側であるが、これに限定されるわけではなく、表裏は相対的なものである。
【００５９】
又、１つのパネルの上下で上連結部２２と下連結部２３を両方備えたものでもよいし、例えば最上部パネルや最下部パネルの様に一方の連結部が無いものでもよいし、両連結部を備えてはいても一方の連結部が本発明とは異なる嵌合構造になっているものでもよい。
【００６０】
更に螺子の代りに、リベットやポップナット等の締結具を用いてもよく、取付けや固定等に支障がなければ頭部等が突出していてもよい。
【００６１】
【発明の効果】
以上述べた如く本発明によれば、パネルがパネル本体部と上連結部、下連結部とで構成され、前記上連結部は前記パネル本体部の上端部に装着可能であり、前記下連結部は下端部に装着可能であり、前記上連結部と前記下連結部とは屈曲自在に嵌合可能であるので、前記パネル本体部の加工が簡単になり、変更に対する対応が容易となる。
【００６２】
又、前記パネル本体部は表面パネル部と裏面パネル部とを組合わせたものであるので、パネルの外観の変更があった場合に前記表面パネル部のみの変更で対応可能となり、変更に対する対応が更に容易になる等の優れた効果を発揮する。
【図面の簡単な説明】
【図１】本発明の第１の実施の形態を示す側面図である。
【図２】本発明の第１の実施の形態を示す分解側面図である。
【図３】本発明の第２の実施の形態を示す側面図である。
【図４】本発明の第３の実施の形態を示す側面図である。
【図５】本発明の第３の実施の形態を示す分解側面図である。
【図６】オーバヘッドドアの概略側面図である。
【図７】オーバヘッドドアの概略正面図である。
【図８】オーバヘッドドアの開閉装置の概略図である。
【図９】従来例のシャッタカーテンの要部斜視図である。
【図１０】従来例のシャッタカーテンのパネル構造を示す側断面図である。
【符号の説明】
６          シャッタカーテン
２０        パネル
２１        パネル本体部
２２        上連結部
２３        下連結部
２４        上部嵌合溝
２７        下部嵌合溝
３１        雌嵌合部
３４        雄嵌合部
４１        表面パネル部
４２        裏面パネル部
４７        表窓孔
４８        裏窓孔
【図１】
2004270332.tif 000003
【図２】
2004270332.tif 000004
【図３】
2004270332.tif 000005
【図４】
2004270332.tif 000006
【図５】
2004270332.tif 000007
【図６】
2004270332.tif 000008
【図７】
2004270332.tif 000009
【図８】
2004270332.tif 000010
【図９】
2004270332.tif 000011
【図１０】
2004270332.tif 000012